Podtech/llm-jp-corpus-v4-ja_patent huggingface dataset:
(57)【要約】      （修正有）【課題】老後に必要な資金を個々の事情に合わせて具体的に計算するための老後資金計算用シートを提供する。【解決手段】本体シート１内に、上から順に、６０歳から６５歳までの収支総額計算欄２と、６５歳から８７歳までの収支総額計算欄３と、大きな支出予定金額欄４と、８７歳までの必要金額記入欄５と、大きな収入予定金額計算欄６と、６０歳までに必要な金額計算欄７と、老後資金積立計算欄８を有し、各計算欄には計算に必要な数値を記入するための記入欄が設けられ、記載された計算式に代入し計算する。【選択図】図１
0003184871.tif 000002
【実用新案登録請求の範囲】
【請求項１】
本体シート１内に「６０歳から６５歳までの収支総額計算欄２」、「６５歳から８７歳までの収支総額計算欄３」、「大きな支出予定金額欄４」、「８７歳までの必要金額記入欄５」「大きな収入予定金額計算欄６」、「６０歳までに必要な金額記入欄７」、「老後資金積立計算欄８」を含むことを特徴とする老後資金計算用シート。
【考案の詳細な説明】
【技術分野】
【０００１】  本考案は、老後に必要な資金を計算するための計算用シートに関するものである。
【背景技術】
【０００２】  老後に必要な資金を個々の事情に合わせて具体的に計算するためには、複雑な計算が必要であるため、簡単に計算できるようにコンパクトにまとめられた計算用シートはほとんど見られない。
【考案の概要】
【考案が解決しようとする課題】
【０００３】  本考案は、老後に必要な資金を個々の事情に合わせて具体的に計算することを目的とする。
【課題を解決するための手段】
【０００４】  本考案は、計算用シートの記入欄に金額を記入し、記載された計算式に代入することにより、老後に必要な資金や年間及び毎月の貯蓄目標額を簡単に計算できることを特徴とする。
【考案の効果】
【０００５】  必要事項を記入し、計算式によって計算することにより、短時間で老後に必要な資金や月毎の貯蓄目標額が得られる。また必要な貯蓄金額を算出する過程が一目瞭然となる。
【図面の簡単な説明】
【０００６】
【図１】本考案の「老後資金計算用シート」の全体の正面図である。
【考案を実施するための形態】
【実施例】
【０００７】  以下図示した実施例について説明する。１は本体シート、２は「６０歳から６５歳までの収支総額計算欄」、３は「６５歳から８７歳までの収支総額計算欄」、４は「大きな支出予定金額欄」、５は「８７歳までの必要金額記入欄」、６は「大きな収入予定金額計算欄」、７は「６０歳までに必要な金額記入欄」、８は「老後資金積立計算欄」である。【０００８】  本体シート１内に上部から下部へ向けて、「６０歳から６５歳までの収支総額計算欄２」、「６５歳から８７歳までの収支総額計算欄３」、「大きな支出予定金額欄４」、「８７歳までの必要金額記入欄５」「大きな収入予定金額計算欄６」、「６０歳までに必要な金額記入欄７」、「老後資金積立計算欄８」の順に、配置されている。【０００９】  「６０歳から６５歳までの収支総額計算欄２」は、６０歳から６５歳までの収支の総額を計算するための計算欄であり、「月毎収入記入欄９」、「月毎支出記入欄１０」、「月毎収支記入欄１１」、「６０歳から６５歳の５年分の収支記入欄１２」を含む。
「月毎収入記入欄９」と「月毎支出記入欄１０」に数値を記入し、計算式に代入の結果得られる数値を「月毎収支記入欄１１」及び「６０歳から６５歳の５年分の収支記入欄１２」に記入する。【００１０】  「６５歳から８７歳までの収支総額計算欄３」は、６５歳から８７歳までの収支の総額を計算するための計算欄であり、「月毎収入記入欄１３」、「月毎支出記入欄１４」、「月毎収支記入欄１５」、「６５歳から８７歳の２２年分の収支記入欄１６」を含む。「月毎収入記入欄１３」と「月毎支出記入欄１４」に数値を記入し、計算式に代入の結果得られる数値を「月毎収支記入欄１５」及び「６５歳から８７歳の２２年分の収支記入欄１６」に記入する。【００１１】  「大きな支出予定金額欄４」は、老後にかかる大きな支出を計算するための計算欄であり、「リフォーム代記入欄１７」、「旅行代等記入欄１８」、「医療介護代記入欄１９」「大きな支出記入欄２０」を含む。「リフォーム代記入欄１７」と「旅行代等記入欄１８」と「医療介護代記入欄１９」に数値を記入し、計算式に代入の結果得られる数値を「大きな支出記入欄２０」に記入する。【００１２】  「８７歳までの必要金額記入欄５」には、「６０歳から６５歳の５年分の収支記入欄１２」、「６５歳から８７歳の２２年分の収支記入欄１６」及び「大きな支出記入欄２０」に記入された数値の和を記入する。【００１３】  「大きな収入予定金額計算欄６」は、「退職金記入欄２１」、「個人年金保険の受取総額記入欄２２」、「老後準備金記入欄２３」、「収入予定金額記入欄２４」を含む。「退職金記入欄２１」、「個人年金保険の受取総額記入欄２２」及び「老後準備金記入欄２３」に数値に記入し、計算式に代入の結果得られる数値を「収入予定金額記入欄２４」に記入する。【００１４】  「６０歳までに必要な金額記入欄７」には、「収入予定金額記入欄２４」から「８７歳までの必要金額記入欄５」を差し引いた数値を記入する。【００１５】  「老後資金積立計算欄８」は、「６０歳までに必要な金額記入欄２５」、「６０歳までの年数記入欄２６」、「年間積立金額記入欄２７」、「毎月積立金額記入欄２８」を含む。「６０歳までに必要な金額記入欄２５」と「６０歳までの年数記入欄２６」に数値を記入し、計算式に代入の結果得られる数値を「年間積立金額記入欄２７」、「毎月積立金額記入欄２８」に記入する。
【符号の説明】
【００１６】１    本体シート
２  「６０歳から６５歳までの収支総額計算欄」
３  「６５歳から８７歳までの収支総額計算欄」
４  「大きな支出予定金額欄」
５  「８７歳までの必要金額記入欄」
６  「大きな収入予定金額計算欄」
７  「６０歳までに必要な金額記入欄」
８  「老後資金積立計算欄」
９  「月毎収入記入欄」
１０「月毎支出記入欄」
１１「月毎収支記入欄」
１２「６０歳から６５歳の５年分の収支記入欄」
１３「月毎収入記入欄」
１４「月毎支出記入欄」
１５「月毎収支記入欄」
１６「６５歳から８７歳の２２年分の収支記入欄」
１７「リフォーム代記入欄」
１８「旅行代等記入欄」
１９「医療介護代記入欄」
２０「大きな支出予定金額記入欄」
２１「退職金記入欄」
２２「個人年金保険の受取総額記入欄」
２３「老後準備金記入欄」
２４「大きな収入予定金額記入欄」
２５「６０歳までに必要な金額記入欄」
２６「６０歳までの年数記入欄」
２７「年間積立金額記入欄」
２８「毎月積立金額記入欄」
【図１】
0003184871.tif 000003
【手続補正書】
【提出日】平成25年5月20日(2013.5.20)
【手続補正１】
【補正対象書類名】実用新案登録請求の範囲
【補正対象項目名】全文
【補正方法】変更
【補正の内容】
【実用新案登録請求の範囲】
【請求項１】
本体シート１内に、上から順に、「６０歳から６５歳までの収支総額計算欄２」、「６５歳から８７歳までの収支総額計算欄３」、「大きな支出計算欄４」、「８７歳までの必要金額記入欄５」「収入予定金額計算欄６」、「６０歳までに必要な金額記入欄７」、「老後資金積立計算欄８」を含むことを特徴とする老後資金計算用シート。
(57)【要約】      （修正有）【課題】安全で作業ムラのない綺麗な仕上がりを実現できる薄床における縁無畳の返し止め幅寄せ装置を提供する。【解決手段】作業板１に、畳の厚み分段差を付け、畳を均等に押さえつけ、又、締め付ける為の定規２を畳の寸法に合わせ二か所設け、片方の定規を作業板に固定、もう片方の定規を作業板に取り付けたレール５に固定し、レール５上を真直ぐに移動出来るようにする。また、作業板の端に取り付けた空圧シリンダー３に圧縮空気を送り、空圧シリンダーから伸びたピストンロッドをレールに取り付けた定規に押し当てる事により圧力で定規を移動、幅寄せさせ、定規と定規の間に設置した畳と畳表を固定、又、定規と作業板の段差に畳と畳表をのみ込ませるように締め付ける。【選択図】図１
0003184880.tif 000002
【実用新案登録請求の範囲】
【請求項１】
作業板に、畳の厚み分段差を付けた定規をレール上を移動出来るように取り付け、空圧シリンダーで幅寄せし、薄床を使用した縁無畳の返し止め作業を、安全に、又、容易に綺麗に仕上げる為の、薄床における縁無畳の返し止め幅寄せ装置。
【考案の詳細な説明】
【技術分野】
【０００１】  本考案は、薄床における縁無畳の返し止め作業に使用する、幅寄せ装置に関する。
【背景技術】
【０００２】  従来の薄床における縁無畳の返し止め作業は、手で畳表を固定しながらタッカー止め等を行うか、高価な専用縫着機を使用して返し止め作業を行っていた。
【考案の概要】
【考案が解決しようとする課題】
【０００３】  しかし、従来の方法では手作業の為、仕上がりにムラが生じたり、タッカーによる怪我の危険があった。又、専用縫着機は高価で使用できる人は限られている。
【課題を解決するための手段】
【０００４】  そこで、作業板にレール、畳の厚み分段差をつけた定規、空圧シリンダーを設け、安全に、又、綺麗に薄床における縁無畳の返し止め作業を行うことができる幅寄せ装置を考案した。
（図１）
【考案の効果】
【０００５】  よって、本考案の薄床における縁無畳の返し止め幅寄せ装置により、返し止め作業を行う時、手で固定しながらのタッカー止め等をする必要がなく、安全で又、定規に幅を固定することにより、作業ムラのない綺麗な仕上がりを実現することができる。
【考案を実施するための形態】
【０００６】  本考案に係る薄床における縁無畳の返し止め幅寄せ装置は、図１に示すように、作業板１に、畳の厚み分段差を付けた定規２、空圧シリンダー３、空圧調整バルブ４、レール５を備えている。
【０００７】  作業板１に、縁無畳の返し止め作業前の畳床７、及び畳表８を図２のように裏向きにセットする。
【０００８】  空圧調整バルブ４により、空圧シリンダー３に圧縮空気を送り、レール５に固定した畳の厚み分段差を付けた定規２を移動させ、定規の間隔を寄せる。
【０００９】  幅寄せさせた定規２と、作業板１の間の隙間に畳床７及び畳表８を差し込むようにし、定規２の側面に当たるまで空圧シリンダー３により、図３のように定規２を幅寄せさせる。
【００１０】  作業板１と定規２の間に畳床７と畳表８を差し込むように幅寄せさせたことにより、手で固定しながらではなく、タッカー等による返し止め作業を安全に行うことができる。又、定規２の側面に当てて作業することで、真っ直ぐ綺麗に作業を完了させることができる。
【図面の簡単な説明】
【００１１】
【図１】  本考案の斜視説明図である。
【図２】  本考案の作動説明図である。
【図３】  本考案の作動説明図である。
【符号の説明】
【００１２】  １    作業板
２    定規
３    空圧シリンダー
４    空圧調整バルブ
５    レール
６    空圧ホース
７    畳床
８    畳表
【図１】
0003184880.tif 000003
【図２】
0003184880.tif 000004
【図３】
0003184880.tif 000005
【手続補正書】
【提出日】平成25年4月25日(2013.4.25)
【手続補正１】
【補正対象書類名】実用新案登録請求の範囲
【補正対象項目名】請求項１
【補正方法】変更
【補正の内容】
【請求項１】
作業板に、畳の厚み分段差を付け、畳を均等に押さえつけ、又、締め付ける為の定規を、作業板に畳の寸法に合わせ二か所設け、片方の定規を作業板に固定、もう片方の定規を作業板に取り付けたレールと固定することにより、レール上を真直ぐに移動出来るように取り付ける。
作業板の端に取り付けた空圧シリンダーに圧縮空気を送り、空圧シリンダーから伸びたピストンロッドをレールに取り付けた定規に押し当てる事により圧力で定規を移動、幅寄せさせ、締め付け工具の万力のように定規と定規の間に設置した畳と畳表を固定、又、定規と作業板の段差に畳と畳表をのみ込ませるように締め付ける事により、薄床を使用した縁無畳の返し止め作業を安全に、容易に綺麗に仕上げる為の、薄床における縁無畳の返し止め幅寄せ装置。
(57)【要約】      （修正有）【課題】家庭で手軽に、腰部の回転運動の行える運動器具を提供する。【解決手段】左右両端部を連結可能としたバンド本体１と、前記バンド本体表面部の上下両側部に固定されたレール２と、前記レールに係合する車軸３ａを備えた分銅取り付け装置と、前記分銅取り付け装置に取り付け可能なフックが備えられた分銅４とを備えたことを特徴とする運動器具。【選択図】図１
0003184875.tif 000002
【実用新案登録請求の範囲】
【請求項１】
バンド両端部との連結可能とした、バンド本体とバンド本体表面部の中心部より両端部間の上下に、レールの固定したことを特微する運動器具である。
【請求項２】
前記バンド本体と前記レール上の走行車兼車軸、及び、車軸先端部の分銅取り付け装置の備えたものであり、又、分銅取り付け部には、フックの装備されていることを特微する［請求請１］記載の運動器具である。
【考案の詳細な説明】
【技術分野】
【０００１】  本考案は、腰部の回転運動を家庭で手軽に回転運動を行うことにより、運動量の好適な多さとすことの運動器具に関するものである。
【背景技術】
【０００２】腰部の回転運動は、主に電動式のものが多く、狭い場所での使用は、困難が伴い費用も高価なものであり、又、スポーツクラブ等の運動も行われるが一般的ではない。
【考案の概要】
【考案が解決しようとする課題】
【０００３】考案の目的は、腰部の回転運動を正確にすると共に、運動量の好適な多さとすることを目的とした運動器具を提供する。【０００４】本考案の他の目的は、近年、運動不足による腰痛等の人が増えているので、家庭で手軽に、腰部の回転運動のできることを目的とした運動器具を提供する。
【課題を解決するための手段】
【０００５】本考案に係わる腰部の回転運動器具は、腰部に装着するバンドとバンド両端部とで連結可能なバンド本体で形成されていると共に、バンド本体表面部の中心部より両端部間の上下に、レールの固定をすると共に、レール上の走行するための走行車兼車軸、及び、車軸先端部には、分銅の取り付け可能な装備となっている。
【考案の効果】
【０００６】本考案の回転運動器具は、前記したような構成により、以下に記載されるような効果が得られる。
腰部の回転運動を行うことで、レール上の前記走行車先端部に装着されたことにより、分銅の回転スピードが速くなることで、腰部全体の回転も大きくなり、良好的な運動量を得ることが出来る。
【図面の簡単な説明】
【０００７】
【図１】本考案に係る腰部の回転運動器具を示す斜視図です
【図２】本考案に係るレールと走行車を示す斜視図です
【図３】本考案に係る分銅の正面図です
【０００８】  ・・・
バンド本体表面部に固設したレール上の走行車兼車軸先端部に、分銅の取り付け装置を設け、又、分銅側にもフックの取り付けによって、簡単に装着することで回転運動時における運動量の良好適な効果が得られる。
【実施例】
【０００９】以下、本考案の実施の形態の一例を図面に基づき説明すると、使用者がバンド本体１を腰部に装着すると共に、レール２上の装備された走行車３兼車軸先端部３ａに、分銅の装着後、腰部の回転運動体勢を示している。
【実施例】
【００１０】２図では、バンド本体１の表面部の上下に、レール２の固定したものと走行車３兼車軸３ａ先端部に、分銅４の取り付け装置を備えたものである。
【実施例】
【００１１】３図では、分銅４の取り外し部のフックが装置されている。
【産業上の利用可能性】
【００１２】・本考案の回転運動器具は，家庭で手軽に腰部の回転運動することにより、良好適な運動が出来ると共に、腰痛等に効果的である。
【符号の説明】
【００１３】１バンド本体
２レール
３走行車
３ａ車軸
４分銅
【図１】
0003184875.tif 000003
【図２】
0003184875.tif 000004
【図３】
0003184875.tif 000005
【手続補正書】
【提出日】平成25年5月2日(2013.5.2)
【手続補正１】
【補正対象書類名】実用新案登録請求の範囲
【補正対象項目名】全文
【補正方法】変更
【補正の内容】
【実用新案登録請求の範囲】
【請求項１】
左右両端部を連結可能としたバンド本体と、前記バンド本体表面部の上下両側部に固定されたレールと、前記レールに係合する車軸を備えた分銅取り付け装置と、前記分銅取り付け装置に取り付け可能なフックが備えられた分銅とを備えたことを特徴とする運動器具。
(57)【要約】      （修正有）【課題】ステッキとステッキ固定物との角度を自在に変えられる様にした自在型ハンドステッキを提供する。【解決手段】ステッキを取付ける固定物３の中央に丸みを帯びたくぼみを作りステッキの最下部に固定物のくぼみに合う球体を作り、ステッキと固定物が離脱しない様に球体の首の部分に離脱防止用フック５を付ける。固定物にステッキスライド用ガイド６を、ステッキの左右に並行に取り付ける。ステッキスライド用ガイドは、ステッキの下部に設けた球体を支点にスライドガイドに沿って傾けることが出来、適当な角度の所でステッキ本体を一時固定するために、ステッキスライド用ガイドの内側に円型ステッキの外周をつつみこむ様な波形をした固定部位を設ける。固定部位の角度は、ステッキ下部の球体を支点に固定物との角度で一時固定出来る様に設ける。【選択図】図３
0003184872.tif 000002
【実用新案登録請求の範囲】
【請求項１】
ステッキを取り付ける固定物とステッキの角度の変更は、ステッキ本体を回転させるに依り可能になる機能を持つことを特徴とする自在型ハンドステッキ
【請求項２】
ステッキを取り付ける固定物と、ステッキの角度の変更は、ステッキ本体を上下に移動させることに依り可能になる機能をもつことを特徴とする請求項１記載の自在型ハンドステッキ
【考案の詳細な説明】
【技術分野】
【０００１】本考案は、ステッキとステッキ固定物との角度の変更を自在に変えられる様にした自在型ハンドステッキに関するものである。
【背景技術】
【０００２】市販の各ステッキは、固定式であったり、ロック式である。
使用目的の対象物の角度に依っては、不便なことが多々ある。特にロック式では、ロックをはずしたり角度に合わせてからロックしたりして大変めんどうである。本考案は、以上の様な、不便さを解消するために、考案したものである。
【先行技術文献】
【技術文献】
【考案の概要】
【考案が解決しようとする課題】
【０００３】従来のステッキは、固定式や、ロック式が多くそれぞれ欠点が有り、非効率的である。下記に記す。
１．固定式では、作業者の位置と、対象物の位置が角度的に合わなくなると、合わせるために、自分が左右、前後に、移動する必要がある。
２．ロック式では、作業者が角度を合わせるためにその都度角度合わせをしてロックしなおさなければならない
【課題を解決するための手段】
【０００４】手段の一例を説明する。
その手段は、ステッキを取付ける固定物の中央に丸みを帯びたくぼみを作りステッキの最下部に固定物のくぼみに合う球体を作り、ステッキと固定物が離脱しない様に球体の首の部分に離脱防止用フックを付ける。
固定物にステッキスライド用ガイドを、ステッキの左右に並行に取り付ける。ステッキスライド用ガイドは、ステッキの下部に設けた球体を支点にスライドガイドに沿って傾けることが出来る、その傾きつまり角度に合わせ適当な角度の所でステッキ本体を一時固定するために、並行に取り付けられた、ステッキスライド用ガイドの内側に円型ステッキの外周をつつみこむ様な波形をした固定部位を設ける。
固定部位の角度は、ステッキ下部の球体を支点に固定物との角度例えば９０度にした場合その角度で一時固定出来る様固定部位を設け、又４５度の所でステッキを使用する場合は４５度の所で一時固定部位を設ける。
ステッキの角度の変更手段は、ステッキスライド用ガイドの最高部からステッキの球体の上部間ステッキ本体の必要範囲をだ円状に変形する、変形にしたへこんだ部分をスライド用ガイドの内側に設けられている波形の狭い所を通り抜け必要な所まで来た後、ステッキ本体を右もしくは、左に９０度回転させステッキのへこんでいない円い部分とスライドガイドの波の広い所で合地させ一時固定する。
この様にステッキを９０度回転させてステッキを移動させることが出来るフリー状態に、又９０度回転させることでステッキを固定させるロック状態にする手段である。【０００５】本考案は、ステッキを用いてステッキとステッキ固定物の角度を変えることが出来ることを特徴とする。
【考案の効果】
【０００６】上記課題を解決することに依り次のような効果がある。
１．固定式ステッキの欠点である作業者の移動の必要がなくなり作業が楽くになり仕事の効率が良くなる。
２．ロック式の欠点であるその都度角度を合わせる必要がなくなり作業が楽くになり仕事の効率が良くなる。
【考案を実施するための形態】
【０００７】ステッキが取り付けられた固定物とステッキの角度がステッキの動作に依って自由に角度が変えられる形態。
【０００８】図１のａは、ステッキの角度を変える時、スライドガイドの内側にある波形の狭い所を通り抜けるに必要なだ円部分である
【図面の簡単な説明】
【０００９】
【図１】図１のＡは、ステッキガイドの波形部分の狭い所を通り抜けに必要なだ円部分を表わした図である。又、図１のＢは、ステッキガイドの波形部分の広い所で一時固させる状態の図である。
【図２】固定物にステッキスライドガイドを取り付けた図である。
【図３】本考案を真横から見た図である。
【符号の説明】
【００１０】１．ステッキ
２．球体
３  固定物
４  ステッキガイドライン
５  離脱防止用フック
６  ステッキガイド本体
【図１】
0003184872.tif 000003
【図２】
0003184872.tif 000004
【図３】
0003184872.tif 000005
【手続補正書】
【提出日】平成25年2月18日(2013.2.18)
【手続補正１】
【補正対象書類名】実用新案登録請求の範囲
【補正対象項目名】全文
【補正方法】変更
【補正の内容】
【実用新案登録請求の範囲】
【請求項１】
ステッキを取り付ける固定物とステッキの角度の変更は、ステッキ本体を回転させることに依り可能になる機能を持つことを特徴とする自在型ハンドステッキ、
【請求項２】
ステッキを取り付ける固定物と、ステッキの角度の変更は、ステッキ本体を上、下に移動させることに依り可能になる機能をもつことを特徴とする請求項１記載の自在型ハンドステッキ
【請求項３】
ステッキを取り付ける固定物とステッキの角度の変更は、ステッキの角度を変えることに依り可能になる機能をもつことを特徴とする請求項１記載の自在型ハンドステッキ、
【手続補正書】
【提出日】平成25年4月26日(2013.4.26)
【手続補正１】
【補正対象書類名】実用新案登録請求の範囲
【補正対象項目名】全文
【補正方法】変更
【補正の内容】
【実用新案登録請求の範囲】
【請求項１】
ステッキ本体と、前記ステッキ本体下部に設けられた球体と、前記球体に係合するくぼみが設けられたステッキ固定物に設けられたステッキスライド用ガイドと、を備えた自在型ハンドステッキにおいて、前記ガイドは、ステッキの左右に並行に設けられ、前記ガイドの内側は、ステッキ外周をつつみこむような波形であって、ステッキ本体の固定部位としての波形の広い部分を複数有しており、前記ステッキ本体下部は、断面が楕円形状であり、前記ステッキ本体下部を前記ガイドの波形の狭い部分を、通過させる際には、ステッキ本体を回転させて楕円の短径部を前記ガイドの波形の狭い部分に対応させ、波形の広い部分に固定させる際には、ステッキ本体を回転させて楕円の長径部を前記ガイドの波形の広い部分に対応させ、ステッキと固定物との角度変更を可能としたことを特徴とした自在型ハンドステッキ。
(57)【要約】【課題】  箸を使うことが不得手な人に、箸が握りやすく、支えやすくなる滑り止めグリップを提供する。【解決手段】  市販の一組の箸１に、それぞれ滑り止めのグリップ２を取り付け、両者から紐３を伸ばし、それらをつなぎまとめるコードロック４を取り付けることによって、箸と箸とを結んで、適当な長さに調節ができるようにしたことを特徴とする。【選択図】図２
0003184542.tif 000002
【実用新案登録請求の範囲】
【請求項１】
市販の箸１に、グリップ２を装着し、そこから伸びた紐３に、コードロック４を取り付け、箸どうしの長さが調節できることを特徴とする滑り止めグリップ。
【考案の詳細な説明】
【技術分野】
【０００１】  本考案は、箸を日常的に使うことが少ない外国人や、箸に慣れていない幼児、握力が衰えた高齢者などのための、箸が握りやすく、支えやすくなる滑り止めグリップに関するものである。
【背景技術】
【０００２】  箸を使うことが不得手な人は、握ることと支えることが上手くできず、食事の際に不便を感じている。
【考案の概要】
【考案が解決しようとする課題】
【０００３】  これは、つぎのような欠点があった。
箸を日常的に使うことが少ない外国人などは、落とさないように持つということと、支点を定めて箸を動かして食べ物をつかむという一連の動作に困難を感じている。
本考案は、以上のような欠点をなくすためになされたものである。
【課題を解決するための手段】
【０００４】  市販の一組の箸１のそれぞれにグリップ２を取り付け、グリップの両方から紐３を伸ばし、それをつなぎまとめるコードロック４を取り付ける。
本考案は、以上の構成よりなる滑り止めグリップである。
【考案の効果】
【０００５】  上述の様に、取り付け可能なグリップにすることによって、市販の箸に装着して、握りやすく支えやすい箸に変えることができる。これによって、外国人は市販されているお土産の箸とは別に、滑り止め用の道具として購入することができる。また箸に慣れていない幼児や、握力が衰えた高齢者も、箸に取り付けて使用することで、食事がしやすくなる。
【図面の簡単な説明】
【０００６】
【図１】  本考案図である。
【図２】  本考案を市販の箸に取り付けた図である。
【考案を実施するための形態】
【０００７】  以下、本考案を実施するための形態について説明する。
市販の一組の箸１に、紐３付きの、チューブ状のグリップ２を装着する。
紐３どうしはコードロック４によって束ねて、長さを調節できるようにする。
本考案は、以上のような構造である。
本考案の素材については、グリップは箸を適当な位置に固定できるよう柔軟性のあるものにして、かつ保持しやすいよう表面が滑りにくいものを使用する。グリップどうしをつなげる紐は、箸の細やかな操作がしやすいよう伸び縮みする素材を用いる。
【実施例】
【０００８】  以下、添付図面に従って一実施例を説明する。市販の一組の箸１に、滑り止めとなるグリップ２を装着し、持ちやすい位置に固定する。【０００９】  箸を的確に操作できるよう、また箸を持つ支点を確保するために、２つのグリップを紐３でつなげる。【００１０】  個人によって、持ちやすく支えやすいグリップ間の距離は異なるので、紐３と紐３をつないで束ねるコードロック４によって、紐を適当な長さに調節する。【００１１】  １  箸
２  グリップ
３  紐
４  コードロック
【図１】
0003184542.tif 000003
【図２】
0003184542.tif 000004
(57)【要約】      （修正有）【課題】主棒やかさ骨組立体の組立てや交換が可能な傘を提供する。【解決手段】主棒１と連結部材３及び傘面４の傘骨組立て体２からなり、主棒の頂端にスクリュー端１１が形成されて、傘骨組立て体の下巣２２から上巣２１までに貫設され、スクリュー端が、連結部材に螺着される。主棒と傘面の傘骨組立て体とが、別々に、取り外せる構造であり、交換が可能となる。【選択図】図１
0003184586.tif 000002
【実用新案登録請求の範囲】
【請求項１】
頂端に、スクリュー端が形成される主棒と、
傘面を支持し、上巣と下巣及び複数の傘骨フレームを有し、上記上巣と下巣に、放射状に、傘骨フレームが枢着され、下巣の下方に、嵌入部が形成される傘骨組立て体と、
一端に、スクリュー穴が形成される連結部材と、
を備えたことを特徴とする傘。
【考案の詳細な説明】
【技術分野】
【０００１】
本考案は、傘に関し、特に、主棒と交換可能の傘面の傘骨組立て体により、取り外して組み立てることができる新規構造の傘に関する。
【背景技術】
【０００２】
既存の市販の傘の構造は、殆ど固定式構造であり、傘が、多様化に交換でき、より良い安全実用性の市場ニーズと商業経済に応じない欠点がある。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の目的は、従来の傘具構造において、石突きと手元の小さい範囲損害を交換できるが、主棒や傘骨組立て体を取り外すことや組み立てることができない欠点を解消でき、傘具の組立て便利性や部材交換できることで、コストの節約を実現できる傘を提供する。
【０００５】
本考案によれば、
１、主棒と交換可能の傘面の傘骨組立て体を、組立て可能の構造に採用するため、必要に応じて、即時に交換でき、
２、主棒や交換可能の傘面の傘骨組立て体が、損害すれば、それだけを交換することができ、耐用寿命が向上され、
３、組立て可能の構造が、結合方式が多様化であるため、弾性的に選別して生産することができ、及び、
４、生産製造の時、市場のニーズに応じて、一つだけの部材を生産でき、有効に、生産コストが低減される。
【課題を解決するための手段】
【０００６】
請求項１の考案は、頂端に、スクリュー端が形成される主棒と、傘面を支持し、上巣と下巣及び複数の傘骨フレームを有し、上記上巣と下巣に、放射状に、傘骨フレームが枢着され、下巣の下方に、嵌入部が形成される傘骨組立て体と、一端に、スクリュー穴が形成される連結部材と、を備えた、ことを特徴とする傘である。
【０００７】
以下、図面を参照しながら、本考案の特徴や技術内容について、詳しく説明するが、それらの図面等は、参考や説明のためであり、本考案は、それによって制限されることが無い。
【考案を実施するための最良の形態】
【０００８】
図1乃至図4のように、本考案は、頂端に、スクリュー端１１が形成される主棒１と、傘面４を支持し、傘面４を交換でき、上巣２１と下巣２２及び複数の傘骨フレーム２３を有し、上記上巣２１と下巣２２に、放射状に、傘骨フレーム２３が枢着され、下巣２２の下方に、嵌入部２２１が形成される傘骨組立て体２と、一端に、スクリュー穴３１が形成される連結部材３と、が含有される。
【０００９】
本考案によれば、上記主棒１のスクリュー端１１が、下巣２２の嵌入部２２１から、上巣２１に貫設されて、スクリュー端１１が、連結部材３のスクリュー穴３１に螺着され、主棒１と傘骨組立て体２とが、一体に結合される。
【００１０】
図5乃至図8のように、本考案の他の実施例によれば、上記主棒１は、頂端に、スクリュー穴１２が形成され、上記連結部材３の一端に、スクリュー端３２が形成され、上記主棒１が、下巣２２の嵌入部２２１から、上巣２１の底部に貫設され、上記連結部材３のスクリュー端３２が、上巣２１に貫設され、主棒１のスクリュー穴１２に螺着されて、主棒１と傘骨組立て体２とが、一体に結合される。
【００１１】
そのため、本考案は、より進歩的かつより実用的で、法に従って実用新案登録請求を出願する。
【００１２】
以上は、本考案のより良い実施例であり、本考案は、それによって制限されることは無い。本考案に係わる実用新案登録請求の範囲や明細書の内容に基づいて行った等価の変更や修正は、全てが、本考案の実用新案登録請求の範囲内に含まれる。
【図面の簡単な説明】
【００１３】
【図１】本考案の実施例の全体構造の外観分解図
【図２】本考案の実施例の全体構造の外観立体図
【図３】本考案の実施例の一部構造の外観分解図
【図４】本考案の実施例の一部の断面図
【図５】本考案の他の実施例の全体構造の外観分解図
【図６】本考案の他の実施例の全体構造の外観立体図
【図７】本考案の他の実施例の一部の外観分解図
【図８】本考案の他の実施例の一部の断面図
【符号の説明】
【００１４】
１  主棒
１１、３２  スクリュー端
１２、３１  スクリュー穴
２  傘骨組立て体  
２１  上巣
２２  下巣
２２１  嵌入部
２３  傘骨フレーム
３  連結部材
４  傘面
【図１】
0003184586.tif 000003
【図２】
0003184586.tif 000004
【図３】
0003184586.tif 000005
【図４】
0003184586.tif 000006
【図５】
0003184586.tif 000007
【図６】
0003184586.tif 000008
【図７】
0003184586.tif 000009
【図８】
0003184586.tif 000010
(57)【要約】      （修正有）【課題】鍋つかみ等の複数の機能を持つポケットが、接着時にしっかり固定され、安全性が高い脱着式多機能ポケット付きエプロンを提供する。【解決手段】装着しているエプロンに袋状のポケットを面ファスナー等を用いて広い接着面積で直接設置させ、瞬時に利用が可能としながら、しっかり接着させてポケットが動いてしまう不安定な状態を回避する。袋の素材を熱冷を軽減するものにすることで、鍋つかみの他に、鍋しき、保温カバーになり、機能的である。また、ポケットの容量をエプロン本体が入る大きさにすることで、携帯用袋としての機能も備えている。【選択図】図１
0003184528.tif 000002
【実用新案登録請求の範囲】
【請求項１】
エプロンの少なくとも左右のどちらかに、脱着可能で、かつ、着用時安定した位置を保つポケット部位を設けたエプロン。
【請求項２】
ポケットの脱着方式が、面ファスナー、バネホックやジャンパーホックにより簡単に脱着しながら着用時に安定した位置を保つために選ばれる請求項１記載のエプロン。
【請求項３】
脱着可能なエプロンのポケットが、熱および冷から手を保護する目的の鍋つかみ、鍋しき、保温用カバーとしての機能を備え、さらに、エプロン本体をたたんで収納できる携帯袋として使用可能な請求項１または２記載のエプロン。
【考案の詳細な説明】
【技術分野】
【０００１】  本考案は、脱着自在で、複数の機能を果たすことが可能な袋状ポケット付きエプロンに関するものである。
【背景技術】
【０００２】  装着しているエプロンに鍋つかみを直接設置させることにより、調理の作業能率を高め、ポケットとしての役目をも果たすエプロンが提供されていた。
【先行技術文献】
【特許文献】
【０００３】  実用新案登録第３１０９３３４号の『ポケット兼鍋つかみ付きエプロン』は、装着しているエプロンに鍋つかみを直接設置させることにより、使用の際、瞬時に利用が可能になり、時間のロスを少なくしている。台所の壁やシンク下の扉等のフックから外す手間が省け、機能的で、調理がしやすく、作業能率を高めるのに役立つ。また鍋つかみが楕円形をしているので、同時にポケットの機能をも備えている。
【特許文献１】実用新案登録第３１０９３３４号
【考案の概要】
【考案が解決しようとする課題】
【０００４】  『ポケット兼鍋つかみ付きエプロン』が存在するが、この番号のポケットの設置方法では、ポケット部分がエプロン本体に接着する方法がエプロン本体に取り付けられたボタン１点のみであるため、動作をする際に鍋つかみがエプロン本体と密着しない状態が起こり、鍋つかみが不安定となりブラブラしたりはずれやすい。このため、料理等作業中に火がついたり、器具や機械に巻き込まれたりする危険があるという不都合があるため、前述の欠点を解決し、さらに機能を追加しようとするものである。
【課題を解決するための手段】
【０００５】  私の考案では、図２と図３に示したごとく、前あて付き、または前あてなしエプロンの少なくとも左右どちらかにポケット部位を設け、袋状ポケットとエプロン本体双方に簡単に脱着が可能な接着素材である面ファスナー、バネホックやジャンパーホックをより広い範囲につけることにより、エプロン本体と袋状ポケットが固定され、ポケットと本体に接着部が安定する。また熱いものや冷たいものの熱の伝導を軽減するために袋状ポケットの内側の少なくとも一部にキルト生地等を使用し、ミトン（通称鍋つかみ）、鍋しき、保温用カバー等としての機能を備える。さらに、ポケットのサイズは、エプロン本体をたたんで収納できる容量をもたせる。
【考案の効果】
【０００６】  上述のように、本考案は設置時のポケット部分の不安定さを解消したため、安全性が高い。また、ポケットに手を入れ、ポケットの接着素材設置範囲とエプロン本体の接着素材設置範囲を付けたり引き離すだけで脱着自在としているので、ポケットから手を抜く必要がなく、瞬時にその機能性を発揮させることができる。またポケットとエプロン本体が脱時には鍋つかみ、鍋しき、保温カバー等として多様に使用でき、また、本体に着時はポケット本来の機能を果たすため利便性がある。さらにこのポケットは、エプロン本体からポケットの脱時には、エプロン本体をたたんで収納できる大きさであることから、外への持ち運びに便利な携帯用の袋として使用することもできる。
【図面の簡単な説明】
【０００７】
【図１】  正面図
【図２】  ポケットの脱着部分を示す概念図
【図３】  ポケットの概念図
【図１】
0003184528.tif 000003
【図２】
0003184528.tif 000004
【図３】
0003184528.tif 000005
(57)【要約】      （修正有）【課題】切妻屋根の積雪を大量に積もる前に押し落とすことができる切妻屋根の積雪防止装置を提供する。【解決手段】切妻屋根の棟部にベース台５を設置し、ベース台中央に直交軸モーター１を配し、任意の所に取り付けた積雪センサーが一定量の積雪を感知すると、モーター１が起動してシャフトが回転し、両端にフランジ２を取り付けた左右対称のネジ切りシャフト３をフランジで接続してあるので、ネジに対応する突起付き移動ソケット６を移動させることにより、菱形伸縮装置のアーム８を軒先まで伸長させて積雪を軒下に押し押した後は、リターンスイッチによりモーターを逆転させて速やかに伸縮装置を縮ませて、棟部にある格納室に戻り待機する装置であり、棟部の前後に２機一対として設置する。【選択図】図１
0003184525.tif 000002
【実用新案登録請求の範囲】
【請求項１】
切妻屋根の棟近くにベース台（５）を設け、屋根の幅に合わせて枕木（１４）を複数配して装置の重量を分散支持させるとともに、枕木の上に複数のレール（１６）を配しレールの間隔を固定し、その上に屋根全幅に渡る車輪付き除雪板（１３）を設置し、レール上を車輪により潤滑に往復できる構造とし、ベース台中央部に直交軸ギヤード・モーター（１）を固定し、モーターにシャフトを貫通させ左右対称のネジを切ったシャフト（３）に対応する移動ソケット（６）と、ソケットに接続した菱形伸縮アーム（８）を取り付けた除雪板を動かすことによって、軒先まで移動させ雪を押し落とした後はリターンスイッチにより、速やかに棟部にある格納室（１７）に戻り待機する装置。
【考案の詳細な説明】
【技術分野】本考案は、切妻屋根の積雪を大量に積もる前に押し落とすことを主目的とし、屋根の全幅にわたる除雪板と除雪板を動かす菱形伸縮装置と、菱形伸縮装置を動かすためのモーターとモーターに直結するネジを切ったシャフトからなる装置である。
【背景技術】屋根の雪下ろしには、様々な方式が提案されており、融雪式は既に実用化されているが、機械式では有効な手段が確立されていない。融雪式はランニングコストが高額になりあまり普及していないのが実情である。
【先行技術文献】
【０００１】
【特許文献】
【特許文献】特許公開  ２０１１−８０２６３  手動式雪下ろし機
【０００２】
【特許文献】特許公開  ２００７−２８５１０３  融雪式雪下ろし装置
【０００３】
【特許文献】特許公開  ２０００−２７４１１１  自動式雪下ろし装置
【考案の概要】
【考案が解決しようとする課題】積雪量が多い地方では雪下ろしに掛かる費用が莫大であり、雪下ろし中の事故等で大切な人名が失われることも毎年のことである。従来の方法は融雪式が大半であり、機械式により自動で雪下ろしが出来る装置は実用化されていないのが現状である。切妻屋根の棟部にベース台（５）を設置し、ベース台中央に直交軸モーター（１）を配し、任意の所に取り付けた積雪センサーが一定量の積雪を感知すると、モーター（１）が起動してシャフトが回転し、両端にフランジ（２）を取り付けた左右対称のネジ切りシャフト（３）をフランジで接続してあるので、ネジに対応する突起付き移動ソケット（６）を移動させることにより、菱形伸縮装置のアーム（８）を軒先まで伸長させて積雪を軒下に押し落した後は、リターンスイッチによりモーターを逆転させ速やかに伸縮装置を縮ませて、棟部にある格納室（１７）に戻り待機する装置であり、棟部の前後に２機一対として設置する。本装置は構造が単純で比較的低価格のために、設置に対する経済的負担が少なく、すべてを自動で行えるので人的労力が不要であり、除雪に関わる人的被害を回避する事が出来、ランニングコストも安いので経済的負担も軽微であり、屋根に掛かる重量の軽減が出来るので家屋の耐震性も向上させる事が出来る。
【図面の簡単な説明】
【０００４】
【図１】「平面図」
【考案を実施するための形態】
切妻屋根の棟部に前後２機を１セットとして設置することによって、人力を必要とせずに適時除雪できるので極めて安全であり、ランニングコストも安く積雪センサーにより、常時監視されているので一定量以上の積雪を防止する事が出来る。
【産業上の利用可能性】除雪問題は喫緊の課題であり、低価格で確実な装置の出現が切望されており、除雪に関する費用の削減と、人的被害の根絶に寄与する本装置はこの要望に答えうる装置である。
【符号の説明】１、直交軸ギヤードモーター２、フランジ３、ねじ切りシャフト４、突起部付固定軸受け５、ベース台６、突起部付き移動ネジ切りソケット７、固定軸受け８、菱形伸縮アーム９、ピン１０、ローラーガイド１１、ローラー１２、除雪板取り付台１３、除雪板１４、枕木１５、除雪板取り付台固定金具１６、レール１７、格納室
【図１】
0003184525.tif 000003
【図２】
0003184525.tif 000004
【手続補正書】
【提出日】平成25年5月13日(2013.5.13)
【手続補正２】
【補正対象書類名】明細書
【補正対象項目名】０００４
【補正方法】変更
【補正の内容】
【０００４】
【図１】平面図
【図２】側面図
(57)【要約】      （修正有）【課題】雪の溶解を低燃費で実現する装置を提供する。【解決手段】投入口１５を開き適量の水を１に貯水し機器４を駆動させ連結部の１３により６を回転させ貯水を攪拌状態にする、１５から雪を投入すると７）の回転により雪は粉砕され同時に７の回転により貯水がかき上げられており散水も同時に行なわれる、その後雪はシャーベット状となり貯水に混じりながら攪拌され溶解される、オーバーフローされた水は８で自然に排水される、溶解時間は雪の投入量、雪の質（新雪、雪魂）で異なるが溶解速度が遅い時又は早めたいときは水中ヒーターとの連動で効率よく溶解できることを特徴とする。【選択図】図２
0003184508.tif 000002
【実用新案登録請求の範囲】
【請求項１】
融雪槽はコンクリート製の筒形状で地中埋設型である。槽内部には機器を取り付けるため鋼製の架台（箱型状）を有し、そこに全ての装置が収まる構造となっている。駆動モーターは架台上端に設置され小型耐水型で９０Ｗ程度で駆動モーターの下部には回転軸を有し駆動モーターとチェーンで連結され回転される。回転軸には脱着可能な鋼製の羽根を有し、雪魂の粉砕と水のかきあげ、さらに攪拌が可能な形状となっている。水加熱ヒーターは水中完全防水型で架台の下部側面に有し、攪拌の妨げにならない板状で、ステンレス製となっている。オーバーフローした水は融雪槽内部側面に有したパイプから自然排水される。
【請求項２】
羽根は試行しながらの形状であるが厚さ６ｍｍ幅５０ｍｍ高さ２００ｍｍの板状で上端部を同じ幅で平行に加工しさらに先端部を折り曲げ雪の粉砕、貯水のかきあげ、貯水の攪拌の働き果たす重要な形状となっている。
【考案の詳細な説明】
【技術分野】
【０００１】本考案は特殊な羽根の回転と貯水による攪拌で雪の溶解を目的とした融雪装置に関するものである。
【背景技術】
【０００２】従来の融雪技術は温水を利用して溶解するものや、直接バーナーで雪を加熱して溶解する装置が多様化されていろ。
【先行技術文献】
【特許文献】
【０００３】
【特許文献１】特開２０１２−２６１３８号  公法
【特許文献２】実登３０３３９９７  公法
【考案の概要】
【考案が解決しようとする課題】
【０００４】従来の技術では温水による融解やバーナー熱による融解が主で、稼働エネルギーは灯油、電気がおもであるが、最近では燃料の高騰により、すでに設置されている融雪装置の稼働を休止している家庭も珍しくない。本考案は以上の記した従来の融雪方式の課題を解決するためのもので、小エネルギーでの稼働を可能にする融雪装置を提供するものである。
【課題を解決するための手段】
【０００５】課題を解決する手段として本考案は熱エネルギーを使用しないで効率的に雪を融解できるように粉砕、散水、攪拌の３点を構成とした。すなわち、投入された雪は最初に貯水上面に溜り羽根の回転により粉砕される。羽根から粉砕を逃れた雪は絶えず水流と共に動き、再度羽根により粉砕される。粉砕と同時に貯水は羽根の形状により数センチ程度汲み上げられ粉砕された雪の上に絶えず散水される。散水された雪はシャーベット状になり、貯水に混ざりながら攪拌され溶解される。尚オーバーフローした水は排水管を通り自然排水される。融雪槽は地中埋設であることから貯水は凍ることはないが降雪量が多く雪の投入時間が長いと投入口より外気が侵入し、貯水温度が下がり溶解速度が遅くなったときは水中ヒーターと連動させることも可能である。
本考案は以上の構成よりなるロータリー式埋設型融雪装置である。
【考案の効果】
【０００６】本考案によれば、装置に使用している機器はモーターと予備の水中ヒーターのみであることから従来の融雪方法に比べてより稼働費の削減ができ、且環境にも優しい構造となっている、そのため安心して地域に提供でき、地中埋設型なので設置上面も有効利用することができ、地域に安心して提供できる。
【図面の簡単な説明】
【０００７】
【図１】融雪漕の平面図である。
【図２】Ａ断面図である。
【図３】Ｂ断面図である。
【図４】羽根の形状図である。
【考案を実施するための形態】
【０００８】本考案を実施するには開閉蓋（図２符号１０）を開き適量水位まで貯水する。そしてモーター（図２符号４）を駆動させ連結チェーン（図２符号１３）にて回転軸（図２符号６）を回転させる、同時に羽根（図２符号７）も回転することから貯水は攪拌状態となる。そこで（図２符号１５）より雪を投入する。投入された雪及び雪魂は羽根  （図２符号７）の回転により粉砕され、同時に貯水は上方向にかきあげられ、粉砕された雪の上面に散水される。その結果雪はシジャーベット状になり貯水と共に攪拌され経過とともに溶解され水となりオーバフローした水は排水管（図２符号８）を通り自然排水される。尚降雪量が多いと雪の投入時間が長くなり貯水温度が著しく下がり溶解速度が遅くなる時は水中ヒーター（図２−３）と連動させ貯水温度を適温上昇させることで溶解速度が速まる。
【符号の説明】
【０００９】１    融雪槽
２    架台組
３    ヒーター
４    モーター
５    ホータースプロケット
６    回転軸
７    羽根
８    排水管
９    槽頂板
１０  開閉蓋
１１  安全柵
１２  槽底板
１３  駆動チェーン
１４  回転軸スプロケット
１５  投入口
【図１】
0003184508.tif 000003
【図２】
0003184508.tif 000004
【図３】
0003184508.tif 000005
【図４】
0003184508.tif 000006
【手続補正書】
【提出日】平成25年4月5日(2013.4.5)
【手続補正１】
【補正対象書類名】実用新案登録請求の範囲
【補正対象項目名】全文
【補正方法】変更
【補正の内容】
【実用新案登録請求の範囲】
【請求項１】
定められた水位まで貯水可能な融雪槽と、融雪槽内に所定の位置に平行に取り付けられた回転軸と、軸方向に沿って取り付けられた複数の羽根と前記回転軸を回転させるモーター駆動手段を有し、回転羽根による散水と攪拌を同時に行う事を特徴とする攪拌融雪装置。
【請求項２】
請求項１を引用して連設の各回転羽根はナタ爪形状で羽根上端部を回転方向に屈曲させ、羽根の先端部を適角に折り曲げ、貯水かき上げ板を有する形状であることを特徴とする請求項１記載の攪拌融雪装置。
(57)【要約】      （修正有）【課題】プレイヤーから発信された音源を受信し聴くことができる無線イヤホンを提供する。【解決手段】無線のイヤホン１に電池ボックス２と受信機３を組み込みプレイヤーには発信機を組み込みそこから発信された音源を受信機で拾い聴くことができる。【選択図】図１
0003184503.tif 000002
【実用新案登録請求の範囲】
【請求項１】
線がつながっていないイヤホンでプレイヤーで発信された音源を受信し聴くことができることを特徴とする無線イヤホン
【考案の詳細な説明】
【技術分野】
【０００１】  本考案は、プレイヤーの音源を無線のイヤホン
で聴けるようにしたイヤホンに関するものである。
【背景技術】
【０００２】  従来音源を聴く道具の一つとして有線のイヤホンが使われてきた。
【考案の概要】
【考案が解決しようとする課題】
【０００３】  有線のイヤホンは、線の届く範囲にポケットや袋を必要とする。又正装のスーツ着用時とか作業時などつけにくいものであるというような欠点を解決しようとするためのものである。
【課題を解決するための手段】
【０００４】  イヤホンの中にプレイヤーからの受信機を取り付けておく
【考案の効果】
【０００５】  携帯プレイヤーをカバンの中に入れておいたまま聴いたり、正装時でも異和感なく使える。
また、イヤホンに様々な装飾を施すこともできる耳の型に合わせたオーダーメードも可。又運動用に数種類の音源をプレイヤーに入れ、個々のイヤホンで拾い聴きながら体育館等で運動することもできる。
【考案を実施するための形態】
【図面の簡単な説明】
【０００６】
【図１】無線のイヤホン
【図２】発信機付きプレイヤー
【考案を実施するための形態】
【０００７】  イヤホンの中に、プレイヤーからの電波を受信する超小型の受信機を取りつける。プレイヤーには発信機を取り付ける
【実施例】
【０００８】  以下、添付図に従って一実施例を説明する。
１は、イヤホンに適する素材にて成形されたイヤホン本体  ２は本体の電池ボックス  ３は内部に組みこまれた超小型の受信機
【符号の説明】
【０００９】１．イヤホン本体
２．本体の電池ボックス
３．内部に組み込まれた受信機
４．プレイヤーに組み込まれた発信機
【図１】
0003184503.tif 000003
【図２】
0003184503.tif 000004
【手続補正書】
【提出日】平成25年3月28日(2013.3.28)
【手続補正１】
【補正対象書類名】実用新案登録請求の範囲
【補正対象項目名】全文
【補正方法】変更
【補正の内容】
【実用新案登録請求の範囲】
【請求項１】
発信機付きプレイヤーから発信される音源電波を、イヤホン本体に電池ボックスと受信可能な受信機を設けたことを特徴とする無線イヤホン。